(57)【特許請求の範囲】
【請求項１】
生産ラインの各テストステーションが、テストを受ける発信器と受信器とを収納する鉄網籠を有するとともに、２つの上記鉄網籠の間に、発信器から発信される電波と同一の周波数であって情報信号未混入キャリアを発射する干渉発射器を備えており、
２つの上記テストステーションが同時にテストを実施する場合には、一方のテストステーションにおけるテストを受ける発信器から発振される電波を、まず、上記鉄網籠によって減衰し、上記干渉発射器から発射される電波によって干渉するとともに、
当該干渉された電波を、他方のテストステーションにおける受信器に届く以前に、他方のテストステーションが有する上記鉄網籠によって減衰し、さらに、
該鉄網籠によって減衰された電波を、該鉄網籠内の発信器からの電波にて減衰することを特徴とする微弱送信電力でのキャリアとして短波を用いた周波数変調方式ディジタル無線のテスト方法。
【請求項２】
上記干渉発射器は、
該干渉発射器から発射される情報信号未混入キャリアの強度が、各テストステーションの発信器から発信される情報信号混入キャリアの強度より大きくなるように、干渉するための情報信号未混入キャリアを生成して、各テストステーションの受信器が他のテストステーションにおける発信器から発信される情報信号をディコードできないようにすることを特徴とする請求項１に記載の微弱送信電力でのキャリアとして短波を用いた周波数変調方式ディジタル無線のテスト方法。
【請求項３】
同一の鉄網籠内にあるテストを受ける発信器と受信器とについて、上記発信器から発信される情報信号混入キャリアが、干渉発射器から発射される同一周波数の情報信号未混入キャリアによって、上記鉄網籠内において干渉されることなく、上記受信器によってディコードされることを特徴とする請求項１に記載の微弱送信電力でのキャリアとして短波を用いた周波数変調方式ディジタル無線のテスト方法。
【請求項４】
上記発信器から発信される情報信号混入キャリアがディジタル変調方式の信号であり、上記干渉発射器から発射される情報信号未混入キャリアが周波数変調方式の信号である場合には、
上記ディジタル変調方式の信号と周波数変調方式の信号とを同一周波数とし、かつ、
上記干渉発射器から発射される周波数変調方式の情報信号未混入キャリアにおける信号の強度を、上記発信器から発信されるディジタル変調方式の情報信号混入キャリアにおける信号の強度よりも大きくすることにより、上記ディジタル変調方式の情報信号混入キャリアの信号を有効にディコードされないようにすることを特徴とする請求項１に記載の微弱送信電力でのキャリアとして短波を用いた周波数変調方式ディジタル無線のテスト方法。
【請求項５】
生産ラインの各テストステーション内に、テストを受ける発信器と受信器とを収納する鉄網籠を有し、かつ２つの上記鉄網籠の間に、発信器から発信される電波と同一周波数であって情報信号未混入キャリアを発射する干渉発射器を備えており、
上記干渉発射器は、周波数変調回路、水晶発振器及び周波数調整回路、送信電力調整回路、送信電力出力回路および発射アンテナを備え、
上記水晶発振器及び周波数調整回路は、基準となる周波数の信号を発振し、かつ発振された基準となる周波数の信号を所定の周波数の信号になるように調整し、
上記周波数変調回路は、上記水晶発振器及び周波数調整回路が上記発振された基準となる周波数の信号を所定の周波数の信号になるように調整する際に、情報信号未混入キャリアが、テストを受ける発信器の情報信号混入キャリアと同一周波数となるように設定し、
上記送信電力調整回路が、伝送距離に応じて送信電力の強度を調整し、
上記送信電力出力回路が、上記送信電力の強度調整後に、発射アンテナを介して、鉄網籠内の電波と同一周波数である情報信号未混入キャリアを発射する一方、
上記鉄網籠は、籠体内の発信器から発信される電波信号と、籠体外の電波信号との両方の電波信号を減衰することを特徴とする微弱送信電力でのキャリアとして短波を用いた周波数変調方式ディジタル無線のテスト治具。
【発明の詳細な説明】
【０００１】
【発明の属する技術分野】
本発明は、生産ラインに同時に二つ以上の干渉防止できるテストステーションを備え、両テストステーションの間に干渉発射器が設けられており、全面的に両隣のテストステーションにおける相互干渉を防止することができる微弱送信電力でのキャリア（搬送波）として短波を用いた周波数変調方式ディジタル無線のテスト方法及びテスト治具に関するものである。
【０００２】
【従来の技術】
科学技術が躍進的に発展した現在、通常に使われている日常用品が重大な革新を受け、未来に向けての科学技術も無線通信の方向へ進んでいる。
【０００３】
従来の各種微弱送信電力条件下でのキャリア（搬送波）として短波を用いた周波数変調方式ディジタル無線製品を生産する際のテストでは、図１に示すように、電波を封鎖する方式が採用されている。
【０００４】
つまり、Ａステーション１上に組み立てた半製品を所定の数まで集めてから、当該半製品を隔離室（ファラデ籠）２へ運搬して１個ずつテストし、その後、テストを終えた半製品を生産ラインに送り、再びＢステーション３で組み立てられて製品となり、当該製品が隔離室４において、もう一度集中テストを受けるため、再び半製品を隔離室（ファラデ籠）２へ運搬して１個ずつテストする。その後、隔離室４において、テストを終えた製品を生産ラインに送り、最終工程である包装５を行っている。
【０００５】
【発明が解決しようとする課題】
しかしながら、上記従来のテスト方法では、大抵の場合において、相互干渉の問題が発生する。
【０００６】
上記従来のテスト方法のように、テスト受検物が４回の収集・運搬、２回の生産ライン離れ、１回の隔離室２入りを経ることにより、工程上、工時の無駄と効率の悪化とをきたし、さらに、運搬途中に何らかの問題が起こり易い。
【０００７】
また、上記隔離室２は、電磁シールドの観念を応用して、ホールのある複数層のメタル板で構成され、電波を遮断する効果については認められるものの、高価であり、かつ非常に重いだけでなく、工場に膨大なスペースが必要になるという問題がある。
【０００８】
上記のように、常用テスト治具及びテスト方法においての各欠点を見て研究した結果、業界内で累積した経験を持って、微弱送信電力でのキャリアとして短波を用いた周波数変調方式ディジタル無線のテスト方法及びテスト治具を開発し、特に、生産ラインに同時に２つ以上の干渉防止できるテストステーションを設け、両テストステーションの間に干渉発射器を設けることにより、全面的に両隣のテストステーションにおいての相互干渉を防止することができた。
【０００９】
それ故、本発明の主な目的は、生産ラインに同時に２つ以上の干渉防止できるテストステーションを設け、両テストステーションの間に干渉発射器を設けることにより、全面的に両隣のテストステーションにおいての相互干渉を防止することができる微弱送信電力でのキャリアとして短波を用いた周波数変調方式ディジタル無線のテスト方法及びテスト治具を提供することにある。
【００１０】
本発明の他の目的は、運搬がない場合や同じ場所におけるテストの際に、製造時間短縮及び人力コスト節約できる微弱送信電力でのキャリアとして短波を用いた周波数変調方式ディジタル無線のテスト方法及びテスト治具を提供することにある。
【００１１】
本発明のさらに他の目的は、大幅にテスト治具コストを節約し、工場空間の有効利用を実現する上記微弱送信電力でのキャリアとして短波を用いた周波数変調方式ディジタル無線のテスト方法及びテスト治具を提供することにある。
【００１２】
【課題を解決するための手段】
本発明の微弱送信電力でのキャリアとして短波を用いた周波数変調方式ディジタル無線のテスト方法は、上記の課題を解決するために、生産ラインの各テストステーションが、テストを受ける発信器と受信器とを収納する鉄網籠を有するとともに、２つの上記鉄網籠の間に、発信器から発信される電波と同一周波数であって情報信号未混入キャリアを発射する干渉発射器を備えており、２つの上記テストステーションが同時にテストを実施する場合には、一方のテストステーションにおけるテストを受ける発信器から発振される電波を、まず、上記鉄網籠によって減衰し、上記干渉発射器から発射される電波によって干渉するとともに、当該干渉された電波を、他方のテストステーションにおける受信器に届く以前に、他方のテストステーションが有する上記鉄網籠によって減衰し、さらに、該鉄網籠によって減衰された電波を、該鉄網籠内の発信器からの電波にて減衰することを特徴としている。
【００１３】
上記の構成によれば、干渉発射器から発射されるのは情報信号未混入キャリアであるため、当然、受信器にディコードされず、全面的に両隣のテストステーションにおける相互干渉を防止することができる。
【００１４】
【発明の実施の形態】
下記において、具体的な実施例と図面を用いて、本発明について説明する。
【００１５】
図２は、本発明の一実施形態を示す異形態干渉略図である。
【００１６】
本発明の方法及びテスト治具に関する一実施形態にかかる微弱送信電力でのキャリアとして短波を用いた周波数変調方式ディジタル無線のテストラインでは、図２に示すように、生産ライン上の受検物Ａ１０及び受検物Ｂ２０を、図３に示すような鉄網籠３０にそれぞれ置き入れ、両ステーションの間に受検物Ａ１０・Ｂ２０と同じ周波数を持つ、情報信号未混入キャリアを発射する無線発射器を備えている。
【００１７】
これにより、干渉源４０を形成して、発射電波を相互干渉させ、受検物Ａ１０とＢ２０とが、鉄網籠３０内で確実かつ有効なテストを受けることができる。
【００１８】
干渉源４０は、図７の干渉発射器ＦＭ変調のブロック図に示す特性を有する干渉発射器であって、周波数変調回路４１、水晶発振器及び周波数調整回路４２、送信電力調整回路４３、送信電力出力回路４４および発射アンテナ４５を含んで構成されている。
【００１９】
周波数変調回路４１は、情報信号未混入キャリアの周波数を適当な範囲内に変調して、水晶発振器及び周波数調整回路４２での周波数が所定の範囲内に入るようにし、さらに所定の範囲内の周波数に調整して、周波数をより正確な範囲内にしている。
【００２０】
また、当該送信電力の強さは、送信電力調整回路３によって決められる。一般的に、送信電力が小さければ、伝送距離が比較的に短いが、逆に、送信電力が大きければ、伝送距離が比較的に長くなる。送信電力の強さを調整した後、送信電力出力回路４４が発射アンテナ４５を介して、同一周波数であって情報信号未混入キャリアを発射する。
【００２１】
この干渉発射器は、情報信号未混入キャリアの信号強度が、情報信号混入キャリアの信号強度よりも大きくなるような方法で、該情報信号未混入キャリアを情報信号混入キャリアに干渉させることにより、各テストステーションの受信器が他のテストステーションの発信器から発射された信号をディコードできないようにする。また、干渉発射器における情報信号未混入キャリアの信号強度は、同一の鉄網籠３０内にあるテストを受ける発信器と受信器とに対しては、鉄網籠３０内の情報信号混入キャリアが上記干渉発射器からの情報信号未混入キャリアによって干渉されない強度となっている。これにより、同一の鉄網籠３０内にあるテストを受ける発信器と受信器とについて、発信器からの情報信号混入キャリアが受信器によってディコードされる。
【００２２】
なお、当該鉄網籠は鉄で造った網状の籠体であり、籠体内外の電波信号を減衰できるものである。
【００２３】
上記の装置設計によれば、通常、当該干渉源４０から発射される情報信号未混入キャリアの送信電力は、各テストステーションにおける発信器から発信される情報信号混入キャリアの送信電力よりも低い。このため、各テストステーションの受信器への干渉を避けることができる。また、各テストステーションの発信器から発信した情報信号混入キャリアが、対応する受信器への伝送範囲を超える場合においても、発信器の送信電力が小さく短距離しか届かないため、発信器の情報信号混入キャリアの信号強度が他のテストステーションの受信器に到達するまでに弱くなる。その際、各テストステーションの間に設けられる干渉源４０から発射される情報信号未混入キャリアの送信電力が、信号強度が減衰した発信器の情報信号混入キャリアの送信電力よりも大きく、かつ同一周波数であるため、送信電力の大きい情報信号未混入キャリアが送信電力の小さい情報信号混入キャリアに取り代わり、置き換えという現象が起こる。これにより、各テストステーションの発信器から発信された電波が他のテストステーションの受信器によって受信されることを防止して、各テストステーションの無線設備は同一空間でかつ距離が近い状態であっても、干渉を受けずに、正常に動作することができる。
【００２４】
また、当該発信器の情報信号がディジタル信号であって、干渉発射器の情報信号未混入キャリアが周波数変調方式による信号である場合や、発信器のディジタル信号を混入した情報信号混入キャリアと、干渉発射器の情報信号未混入キャリアとが同一周波数であって、情報信号未混入キャリアの信号強度が発信器のディジタル信号を混入した情報信号混入キャリアの信号強度より大きい場合には、発信器のディジタル信号を混入した情報信号混入キャリアの信号は有効にディコードされない。
【００２５】
本発明は、電磁輻射の異形態干渉と短波との特性とからなり、異形態干渉とは、受検物自身から生成する干渉源ではない。受検物Ａ１０からいえば、受検物Ｂ２０と干渉源４０とともに異形態干渉であり、干渉源４０の目的が受検物Ｂ２０の電波信号を乱しており、一方、受検物Ｂ２０からいえば、当該干渉源４０が受検物Ａ１０の電波信号を乱している。
【００２６】
また、上記の短波は、その波長が１０メートル〜７５メートル、帯域範囲が４ＭＨＺ〜３０ＭＨＺの無線波であり、金属（メタル）に対する透過力が、波長が比較的短い超短波や最も短い超短波よりも劣るが、波長の比較的長い長波や中波、中短波よりも勝っている。
【００２７】
図４は、本発明の生産テストフロー図である。
【００２８】
本発明の微弱送信電力でのキャリアとして短波を用いた周波数変調方式ディジタル無線のテスト方法は、図４に示すように、生産ラインの半製品テストＡステーションと製品テストＢステーションとにおいて、受検物の発信器と受信器とを、鉄網で構成された鉄網籠３０内に別々に置き入れて、両ステーションが少し離れた位置にある場合でも、鉄網籠３０が内から外へ発信する電波を減衰している。しかし、その効果は限られていて、ＡおよびＢの両ステーションが依然として相互干渉する。そこで、本発明では、両ステーションの間にもう１つの同一周波数で、かつ情報信号未混入キャリアを発射する干渉発射器を設置している。
【００２９】
２つのテストステーションが同時にテストを実施する場合には、外へ発信する電波が、まず当該鉄網籠３０によって減衰され、そして干渉発射器の電波によって干渉破壊される。この干渉破壊された電波は、もう１つの受信器に届く以前に、再び鉄網籠３０によって減衰され、鉄網籠３０内の電波に被されて、当該電波が減衰される。
【００３０】
これにより、情報信号未混入キャリアであるため、当然、受信器にディコードされず、全面的に両隣のテストステーションにおける相互干渉を防止することができる。
【００３１】
また、テストスピードを上げるために、あるいはテストステーションの間に他のワークステーションを増加する等して製品の数量を増やすためには、図１・図２以外の生産テストフロー図５・図６に示すように、通常、半製品ステーション及び製品ステーションに同時にディジタルテストを実施するが、この際、同一ステーションの両隣のテストに１つの干渉発射器を設置することができ、全面的に隣の両テストステーションにおいての相互干渉を防止することができる。
【００３２】
本実施形態では、本発明について、１つの好ましい実施例を挙げて説明したが、本発明の実施範囲は本実施形態によって制限されるものではない。この技術分野に属する通常の知識を有するものが、本発明の精神や範囲と反しない範囲内において、いくつかの変更と修正とができると思われるが、本発明に従っていくつかの変更と修正とをした内容は、本発明特許請求の範囲内に含まれ、その限界は特許請求の範囲を基準とするものである。
上記のように、本発明は、実用的な利用する価値があって、そして発明が自然法則を利用する技術的思想の創作のうち高度のものに適合するため、法に従い、特許願書を提出したものである。
【００３３】
【発明の効果】
本発明の微弱送信電力でのキャリアとして短波を用いた周波数変調方式ディジタル無線のテスト方法は、以上のように、生産ラインの各テストステーションが、テストを受ける発信器と受信器とを収納する鉄網籠を有するとともに、２つの上記鉄網籠の間に、発信器から発信される電波と同一周波数であって情報信号未混入キャリアを発射する干渉発射器を備えており、２つの上記テストステーションが同時にテストを実施する場合には、一方のテストステーションにおけるテストを受ける発信器から発振される電波を、まず、上記鉄網籠によって減衰し、上記干渉発射器から発射される電波によって干渉するとともに、当該干渉された電波を、他方のテストステーションにおける受信器に届く以前に、他方のテストステーションが有する上記鉄網籠によって減衰し、さらに、該鉄網籠によって減衰された電波を、該鉄網籠内の発信器からの電波にて減衰する方法である。
【００３４】
それゆえ、干渉発射器から発射される電波は、情報信号未混入キャリアであるため、当然、受信器にディコードされず、全面的に両隣のテストステーションにおける相互干渉を防止することができるという効果を奏する。
【図面の簡単な説明】
【図１】従来のテスト方法を示すフロー図である。
【図２】本発明の一実施形態を示す異形態干渉略図である。
【図３】本発明の鉄網籠構造を示す立体図である。
【図４】本発明の生産テストフロー図である。
【図５】本発明の他の生産テストフロー図である。
【図６】本発明のさらに他の生産テストフロー図である。
【図７】本発明の干渉発射器のＦＭ変調ブローク図である。
【符号の説明】
１      Ａステーション
２・４      隔離室
３      Ｂステーション
５      包装
１０      受検物Ａ
２０      受検物Ｂ
３０      鉄網籠
４０      干渉源
４１      周波数変調回路
４２      結晶振動及び周波数調整回路
４３      工率調整回路
４４      工率出力回路
４５      発射アンテナ
【図１】
0003793104.tif 000002
【図２】
0003793104.tif 000003
【図３】
0003793104.tif 000004
【図４】
0003793104.tif 000005
【図５】
0003793104.tif 000006
【図６】
0003793104.tif 000007
【図７】
0003793104.tif 000008